(57)【要約】 【課題】  安全に蒸気駆動給水ポンプのアイソレートを行うことができる蒸気駆動給水ポンプのアイソレート方法及びそのシステムを提供する。【解決手段】  蒸気駆動給水ポンプ１１を駆動する蒸気タービン１２を停止させてターニング運転に移行するターニング運転移行手段１と、前記蒸気タービン１２の真空破壊を行う真空破壊手段２と、前記蒸気タービン１２及び蒸気駆動給水ポンプ１１を冷却する冷却手段３と、前記蒸気タービン１２のターニング運転を停止するターニング運転停止手段４と、前記蒸気駆動給水ポンプ１１を給水系統から遮断して内部の水を排出するアイソレート手段５とから構成してある。【選択図】    図１
2007100597.tif 000002
【特許請求の範囲】
【請求項１】
蒸気駆動給水ポンプを給水系統から遮断する蒸気駆動給水ポンプのアイソレート方法であって、前記蒸気駆動給水ポンプを駆動する蒸気タービンを停止させてターニング運転に移行し、前記蒸気タービンの真空破壊を行って、前記蒸気タービン及び蒸気駆動給水ポンプを冷却した後、前記蒸気タービンのターニング運転を停止し、前記蒸気駆動給水ポンプを給水系統から遮断して内部の水を排出するようにした蒸気駆動給水ポンプのアイソレート方法。
【請求項２】
前記蒸気タービン及び蒸気駆動給水ポンプが所定温度以下まで冷却されたことを確認する冷却確認手段を備えた請求項１に記載の蒸気駆動給水ポンプのアイソレート方法。
【請求項３】
蒸気駆動給水ポンプを給水系統から遮断する蒸気駆動給水ポンプのアイソレートシステムであって、前記蒸気駆動給水ポンプを駆動する蒸気タービンを停止させてターニング運転に移行するターニング運転移行手段と、前記蒸気タービンの真空破壊を行う真空破壊手段と、前記蒸気タービン及び蒸気駆動給水ポンプを冷却する冷却手段と、前記蒸気タービンのターニング運転を停止するターニング運転停止手段と、前記蒸気駆動給水ポンプを給水系統から遮断して内部の水を排出するアイソレート手段とからなる蒸気駆動給水ポンプのアイソレートシステム。
【請求項４】
前記冷却手段が、前記蒸気タービン及び蒸気駆動給水ポンプの温度が所定温度以下になるまで冷却するようにした請求項３に記載の蒸気駆動給水ポンプのアイソレートシステム。
【発明の詳細な説明】
【技術分野】
【０００１】
本発明は、蒸気駆動給水ポンプを給水系統から遮断する蒸気駆動給水ポンプのアイソレート方法及びそのシステムに関する。
【背景技術】
【０００２】
蒸気タービンプラントにおいて、主蒸気タービンから抽気した蒸気を用いてタービンを駆動しボイラーに給水する蒸気駆動給水ポンプが用いられている。この蒸気駆動給水ポンプは、定期点検やメンテナンス時に給水ポンプ内の水を抜き取る必要がある。従来、蒸気駆動給水ポンプの水抜き作業は、給水ポンプ駆動用の蒸気タービンを停止した後、直ちに給水ポンプを給水系統から遮断して内部の水を排出していた。
【発明の開示】
【発明が解決しようとする課題】
【０００３】
しかし、蒸気駆動給水ポンプは、蒸気タービンの熱により高温になっているため、蒸気タービンの停止後、直ちに給水ポンプを給水系統から遮断して内部の水を排出すると、高温・高圧の水が噴出して作業員に火傷等の危険が及ぶ恐れがあるのみならず、蒸気タービンの熱により変形し給水ポンプの動翼を損傷する恐れがあるという課題があった。
【課題を解決するための手段】
【０００４】
本発明は、上記課題を解決するために、蒸気駆動給水ポンプを給水系統から遮断する蒸気駆動給水ポンプのアイソレート方法であって、前記蒸気駆動給水ポンプを駆動する蒸気タービンを停止させてターニング運転に移行し、前記蒸気タービンの真空破壊を行って、前記蒸気タービン及び蒸気駆動給水ポンプを冷却した後、前記蒸気タービンのターニング運転を停止し、前記蒸気駆動給水ポンプを給水系統から遮断して内部の水を排出するようにした蒸気駆動給水ポンプのアイソレート方法を提供するものである。
【０００５】
また、本発明は、前記蒸気タービン及び蒸気駆動給水ポンプが所定温度以下まで冷却されたことを確認する冷却確認手段を備えた請求項１に記載の蒸気駆動給水ポンプのアイソレート方法を提供するものである。
【０００６】
また、本発明は、蒸気駆動給水ポンプを給水系統から遮断する蒸気駆動給水ポンプのアイソレートシステムであって、前記蒸気駆動給水ポンプを駆動する蒸気タービンを停止させてターニング運転に移行するターニング運転移行手段と、前記蒸気タービンの真空破壊を行う真空破壊手段と、前記蒸気タービン及び蒸気駆動給水ポンプを冷却する冷却手段と、前記蒸気タービンのターニング運転を停止するターニング運転停止手段と、前記蒸気駆動給水ポンプを給水系統から遮断して内部の水を排出するアイソレート手段とからなる蒸気駆動給水ポンプのアイソレートシステムを提供するものである。
【０００７】
また、本発明は、前記冷却手段が、前記蒸気タービン及び蒸気駆動給水ポンプの温度が所定温度以下になるまで冷却するようにした請求項３に記載の蒸気駆動給水ポンプのアイソレートシステムを提供するものである。
【発明の効果】
【０００８】
本発明に係る蒸気駆動給水ポンプのアイソレート方法によれば、蒸気駆動給水ポンプを給水系統から遮断する蒸気駆動給水ポンプのアイソレート方法であって、前記蒸気駆動給水ポンプを駆動する蒸気タービンを停止させてターニング運転に移行し、前記蒸気タービンの真空破壊を行って、前記蒸気タービン及び蒸気駆動給水ポンプを冷却した後、前記蒸気タービンのターニング運転を停止し、前記蒸気駆動給水ポンプを給水系統から遮断して内部の水を排出するようにした構成を有することにより、蒸気タービンの熱による変形を低減して動翼の損傷を防止することができると共に、給水ポンプの排水時に高温・高圧の水が噴出することなく、安全に蒸気駆動給水ポンプのアイソレートを行うことができる効果がある。
【０００９】
また、本発明は、前記蒸気タービン及び蒸気駆動給水ポンプが所定温度以下まで冷却されたことを確認する冷却確認手段を備えた請求項１に記載の構成を有することにより、蒸気タービン及び蒸気駆動給水ポンプを確実に冷却することができる効果がある。
【００１０】
また、本発明に係る蒸気駆動給水ポンプのアイソレートシステムによれば、蒸気駆動給水ポンプを給水系統から遮断する蒸気駆動給水ポンプのアイソレートシステムであって、前記蒸気駆動給水ポンプを駆動する蒸気タービンを停止させてターニング運転に移行するターニング運転移行手段と、前記蒸気タービンの真空破壊を行う真空破壊手段と、前記蒸気タービン及び蒸気駆動給水ポンプを冷却する冷却手段と、前記蒸気タービンのターニング運転を停止するターニング運転停止手段と、前記蒸気駆動給水ポンプを給水系統から遮断して内部の水を排出するアイソレート手段とからなる構成を有することにより、蒸気タービンの熱による変形を低減して動翼の損傷を防止することができると共に、給水ポンプの排水時に高温・高圧の水が噴出することなく、安全に蒸気駆動給水ポンプのアイソレートを行うことができる効果がある。
【００１１】
また、本発明は、前記冷却手段が、前記蒸気タービン及び蒸気駆動給水ポンプの温度が所定温度以下になるまで冷却するようにした請求項３に記載の構成を有することにより、蒸気タービン及び蒸気駆動給水ポンプを確実に冷却することができる効果がある。
【発明を実施するための最良の形態】
【００１２】
本発明の実施の形態を図示する実施例に基づいて説明する。
本発明に係る蒸気駆動給水ポンプのアイソレートシステムは、蒸気駆動給水ポンプ１１を駆動する蒸気タービン１２を停止させてターニング運転に移行するターニング運転移行手段１と、前記蒸気タービン１２の真空破壊を行う真空破壊手段２と、前記蒸気タービン１２及び蒸気駆動給水ポンプ１１を冷却する冷却手段３と、前記蒸気タービン１２のターニング運転を停止するターニング運転停止手段４と、前記蒸気駆動給水ポンプ１１を給水系統から遮断して内部の水を排出するアイソレート手段５とから構成してある。
【実施例１】
【００１３】
実施例において、蒸気タービンプラントの給水ポンプ装置は、図２に示すように構成している。蒸気駆動給水ポンプ１１は、主蒸気タービンから低圧主蒸気管１３を通って抽気した蒸気によって蒸気タービン１２を回転させて、該蒸気タービン１２に接続された給水ポンプを駆動するようにしてある。蒸気タービン１２を回転させた蒸気は、排気管１４を通って復水器１５に排出される。
また、２２はモーター２１により駆動される給水ブースターポンプであり、復水を昇圧して蒸気駆動給水ポンプ１１に導入するようにしている。蒸気駆動給水ポンプ１１は、腹水を更に昇圧してボイラーへ給水するようにしている。
【００１４】
図１に示す実施例において、ターニング運転移行手段１は、蒸気駆動給水ポンプ１１を駆動する蒸気タービン１２を停止させ、ターニング装置により蒸気タービン１２のローターを低速で回転させるようにしてある。この蒸気タービン１２の回転に伴って、蒸気駆動給水ポンプ１１の動翼も低速で回転するようにしている。
また、真空破壊手段２は、真空破壊弁１６を開いて、蒸気タービン１２と復水器１５の真空破壊を行うようにしてある。
【００１５】
図１に示す実施例において、冷却手段３は、ウォーミング元弁１９を閉じ、ターニング運転により蒸気タービン１２のローター及び蒸気駆動給水ポンプ１１の動翼を低速で回転させて、蒸気タービン１２及び蒸気駆動給水ポンプ１１を冷却することができるように構成してある。また、封水温度調節弁１７をバイパスするバイパス弁１８を開き、低温の封水を蒸気駆動給水ポンプ１１に供給して、冷却効率を高めるようにしてある。
【００１６】
また、冷却手段３は、蒸気タービン１２及び蒸気駆動給水ポンプ１１の周囲に温度センサーを設けて、蒸気タービン１２及び蒸気駆動給水ポンプ１１の温度が所定温度以下になるまで冷却することができるように構成してある。実施例の場合、蒸気タービン１２のケーシング温度が２００℃以下で、且つ、給水ポンプ１１の下部バレルの温度が５０℃以下になるまで冷却するようにしてある。
なお、冷却手段３の冷却期間は上記温度に限定されるものではないが、蒸気駆動給水ポンプ１１の下部バレルの温度が６０℃位で冷却を終了すると、給水ポンプ１１内の水を排水した後に予熱でバレルの温度が約３０℃上昇して連絡管がハンマを起こすことから、給水ポンプ１１の下部バレルの温度が５０℃以下になるまで冷却することが好ましい。
【００１７】
図１に示す実施例において、ターニング運転停止手段４は、温度センサーにより蒸気タービン及び蒸気駆動給水ポンプの温度が所定温度以下になったことを検知すると、蒸気タービン１２のターニング運転を停止するようにしてある。
アイソレート手段５は、蒸気タービン１２のターニング運転を停止すると、蒸気駆動給水ポンプ１１を給水系統２０から遮断し、給水ポンプ１１の内部の水を排出するようにしてある。
【図面の簡単な説明】
【００１８】
【図１】本発明蒸気駆動給水ポンプのアイソレートシステムの一実施例を示すフローチャート。
【図２】その一実施例の給水ポンプ装置を示す系統図。
【符号の説明】
【００１９】
１  ターニング運転移行手段
２  真空破壊手段
３  冷却手段
４  ターニング運転停止手段
５  アイソレート手段
１１  蒸気駆動給水ポンプ
１２  蒸気タービン
１３  低圧主蒸気管
１４  排気管
１５  腹水器
１６  真空破壊弁
１７  封水温度調節弁
１８  バイパス弁
１９  ウォーミング元弁
２０  給水系統
２１  モーター
２２  給水ブースターポンプ
【図１】
2007100597.tif 000003
【図２】
2007100597.tif 000004